(57)【要約】【課題】防塵用具【解決手段】防塵用具１は、凹凸部を設けた形状で軟質性の素材で形成し、該凹面でプラグを覆い、凸面で差し込み穴を塞ぎ、凹部内面及び凸部外面に各々クリーニング部材２ａ、２ｂを設け、防塵用具１の適宜な箇所にアームバー６と着脱容易なクリップ７を設け、前記イヤフォンプラグのイヤフォンコード５等に取付けられるよう構成している。【選択図】図３
2009163967.tif 000002
【特許請求の範囲】
【請求項１】
携帯型プレーヤ、及び携帯型ゲーム機等に使用するイヤフォンプラグの差込み穴、及び平型コネクター差込み穴へのホコリ等の侵入防止、及びイヤフォンプラグ、平型コネクター端子への汚れ付着防止の為の防塵用具であって、一つの防塵用具にイヤフォンプラグ差込み穴、及び平型コネクター差込み穴を塞ぐ為の突起物と携帯プレーヤ等から引き抜いたイヤフォンのプラグを差し込む凹みを設けてあることを特徴とした防塵用具。
【請求項２】
前記、防塵用具がイヤフォンプラグモールド部、及び平型コネクターモールド部へ必要最小限、可動可能な状態で一体で形成されたことを特徴とした請求項１記載の防塵用具。
【請求項３】
前記、防塵用具が携帯プレーヤ等のカバーと一体で形成されたことを特徴とした請求項１及び２記載の防塵用具。
【請求項４】
イヤフォンプラグ及び平型コネクター端子を携帯プレーヤから引き抜いた後、差し込んで保持する前記防塵用具の差込み穴の内側へ、抜き差しによる摺動でイヤフォンプラグ及び平型コネクター端子をクリーニングする為のクリーニング部材を具備した請求項１及び２、３記載の防塵用具。
【請求項５】
該防塵用具をイヤフォンの任意の箇所へ着脱容易としたことを特徴とした請求項１及び２、３、４記載の防塵用具。
【請求項６】
イヤフォンプラグ差込み穴、及び平型コネクター差込み穴を塞ぐ為と、携帯プレーヤ等から引き抜いたイヤフォンプラグ及び平型コネクター端子を保護する為、これらを覆う防塵用具を、イヤフォン近傍に固定又は着脱可能としたことを特徴とした請求項１及び２、３、４、５記載の防塵用具。
【発明の詳細な説明】
【発明が属する技術分野】
【０００１】本発明は、イヤフォンプラグ、及び平型コネクター等の差込み穴を塞ぐと同時に、イヤフォーンフラグ、及び平型コネクター端子部を携帯プレーヤ等から抜いた後に、それらを差し込んで保持できる構造としてあり、携帯プレーヤ等の穴へホコリ等の侵入を防ぐだけでなく、同時にイヤフォンのプラグを外部へ露出させることなく収納出来、更に抜き差し時にクリーニングも出来るよう構成されている防塵用具に関するものである。
【背景技術】
【０００２】従来から、ＡＶ機器の入出力端子を保護する防塵用具は存在しているが、これらは全て単機能でしかも単体で作られてある。
【発明が解決しようとする課題】
【０００３】しかし、凹凸部の両方を併せ持った構造の防塵用具は存在せず、しかも防塵用具そのものがイヤフォンの一部へ一体で形成されたもの、或いはイヤフォンの任意の箇所に着脱容易とした防塵用具は存在しない。
【課題を解決する手段】
【０００４】。
本発明では、防塵用具をイヤフォンプラグモールド部、又は平型コネクターモールド部へ一体で形成するか、それら近傍へ着脱容易構造としてあるので、イヤフォンを携帯プレーヤより抜いた後の保管を容易にすると同時に防塵用具自体の紛失を防ぐことが出来る。このように請求項１に記載した特長を持った防塵用具をイヤフォン、その他の聴取用機器の一部へ一体化して形成し、着脱容易とした構造としてある。
【発明の実施と形態】
【０００５】本発明の構成を図１〜図６によって説明する。
防塵用具１は、凹凸部を設けた形状で軟質性の素材で形成し、該凹面でプラグを覆い、凸面で差し込み穴を塞ぎ、凹部内面及び凸部外面に各々クリーニング部材２ａ、２ｂを設け、プラグ３、モールド部４、イヤフォンコード５各々で形成されたイヤフォンプラグに、前記防塵用具１の適宜な箇所に可動可能な範囲で動作するアームバー６を設け、該アームバー６と前記モールド部４が一体形成し構成されている。
【０００６】又、凹凸部が前記同様の素材と機能を有する防塵容具１の適宜な箇所に、アームバー６を設け、該アームバー６の先端に着脱容易なクリップ７を形成、前記イヤフォンプラグのイヤフォンコード５等に、取付け出来るように構成している。
【０００７】又、携帯プレーヤ等に接続し利用する平形コネクターの防塵用具１も凹凸部が前記同様の素材と機能を有し、該防塵容具１の適宜な箇所にアームバー６をプラグのイヤフォンコード５等に取付けられるよう形成すると共に、平形コネクター差し込み穴に、該差し込み穴を塞ぐ突起部を設け、この外面にクリーニング部材２ｃを設け、当該平形コネクターの防塵とクリーニングを可能に構成している。
【実施例】
【０００８】本発明の実施例を図１〜図６によって説明する。
前記したイヤフォンプラグの適宜な箇所に、可動可能な範囲で動作するアームバー６により  一体に形成され防塵用具１にクリーニング部材２ａを設けた凹部にプラグ３を差し込むと軟質性の素材で形成されたアームバー６はＵ字形状に変形しイヤフォンプラグは差し込まれ、又防塵用具１のクリーニング部材２ｂに設けた凸部は、携帯プレーヤ８等のプラグ差し込み穴に差し込み使用する。【０００９】着脱を容易にした防塵用具１も、前記同様クリーニング部材２ｂを設けた凸部は、携帯プレーヤ８等のプラグ差し込み穴に差し込み使用するが、着脱容易なクリップ７にイヤフォンコード５が余裕を持って取付け出来ることで、該イヤフォンコード５の極端な折れ曲がりが防げる。【００１０】平形コネクターの防塵用具１は、平形コネクター突起部にクリーニング部材２ｃ及びプラグ差し込み穴にクリーニング部材２ｂを設けた凸部を携帯プレーヤ８等の差し込み穴に差し込み防塵する。又イヤフォンプラグのプラグ３は、クリーニング部材２ａを設けた凹部に差し込み前記同様クリップ７にイヤフォンコードが余裕を持って取付け出来ることで、該イヤフォンコード５の極端な折れ曲がりが防げる。【００１１】クリーニング部材２ａ、２ｂ、２ｃの各々の箇所は防塵と、クリーニングを兼ねておりクリーニングの方法は抜き差しの軽い慴動動作でクリーニングが出来る。
【発明の効果】
【００１２】各端子の防塵が容易に出来る。
各端子のクリーニングが簡単に出来、端子間の接触不良を防ぐ。
防塵用具の一体化と音楽プレーヤ等への着脱を可能にしたため使い勝手が良い。
【図面の簡単な説明】
【００１３】
【図１】本発明の防塵用具をイヤフォンプラグモールド部に一体形成した状態を示す斜視図。
【図２】本発明のイヤフォンプラグモールド部に一体形成した防塵用具の実施例を示す斜視図。
【図３】本発明の防塵用具をイヤフォンの任意の箇所に着脱容易に形成した状態を示す斜視図。
【図４】本発明のイヤフォンの任意の箇所に着脱容易に形成した防塵用具の実施例を示す斜視図。
【図５】本発明の防塵用具を携帯プレーヤに取付けを可能にした状態を示す斜視図。
【図６】本発明の携帯プレーヤに取付けを可能にした防塵用具の実施例を示す斜視図。
【符号の説明】
【００１４】１：防塵用具
２ａ、２ｂ、２ｃ：凹凸及び突起部に設けたクリーニング部材
３：プラグ
４：モールド部
５：イヤフォンコード
６：アームバー
７：クリップ
８：携帯プレーヤ
【図１】
2009163967.tif 000003
【図２】
2009163967.tif 000004
【図３】
2009163967.tif 000005
【図４】
2009163967.tif 000006
【図５】
2009163967.tif 000007
【図６】
2009163967.tif 000008